(57)【要約】【課題】熱定着方式による加熱ロールの表面温度を測定する非接触式温度センサが、加熱ロールの熱により許容温度を超えることなく、耐熱温度以下で安定した温度測定が行えるようにする。【解決手段】加熱ロール１表面の赤外線量を測定するため、筐体３に開けられた赤外線量測定用穴５の中心軸上に、非接触式温度センサ６を配置しない構造とすることで、加熱ロール１の熱が非接触式温度センサ６に直接当たることを防ぐことができる。【選択図】  図１
2008122575.tif 000002
【特許請求の範囲】
【請求項１】
加熱体を内蔵する加熱ローラと、その加熱ローラを覆う筐体とを備えて印字装置から取り外し可能となっている定着ユニットと、前記加熱ローラの表面温度を検出する非接触式温度センサを有する印字装置において、前記非接触式温度センサが前記加熱ローラの長手方向軸に垂直な軸に対して斜め３５°以上の角度をもって取り付けられていることを特徴とする印字装置。
【発明の詳細な説明】
【技術分野】
【０００１】
本発明は、特にレーザープリンタや複写機などの熱定着機構部に非接触温度センサを備えた印字装置に関するものである。
【背景技術】
【０００２】
図３に従来の印字装置の一例を示す。用紙ホッパ部２０にセットされた用紙２１は、紙送り機構２２により感光体２３に送られる。帯電器２４により一様に帯電された感光体２３に光学装置２５から発せられるレーザー光２６が照射されることにより感光体２３の表面に静電潜像が形成され、現像機２７によりトナーが感光体２３に吸着する。感光体２３上に現像されたトナーは転写器２８により用紙２１に転写され、定着装置２９に送られる。定着装置２９でトナーは用紙２１に定着され、駆動ローラ３０と従動ローラ３１に挟持され、用紙２１は用紙排出部３２に排出される。
【０００３】
図４に従来の熱定着方式連続紙印字装置における定着部付近の概略図を示す。ヒータランプ等の加熱体５０を内蔵した加熱ロール５１が筐体５２に取り付けられている。筐体５２は印字装置に取り付けられたフレーム５３に取り付けられており、筐体５２はフレーム５３から簡単に取り外せる構造となっている。
【０００４】
用紙２１を挟んで加熱ロール５１の反対側には加圧ロール５４が配置されており、加圧ロール５４は回転中心５５を軸に移動するアーム５６により加熱ロール５１に押し付けられる。加熱ロール５１に加圧ロール５４が押し付けられることにより、用紙２１に形成されたトナー像が加熱と加圧により用紙２１に定着される。その後、用紙２１は駆動ローラ３０と従動ローラ３１に挟持され、用紙排出部へと送られる。
【０００５】
加熱ロール５１にはシリコンオイルを含浸したフェルト５７が押し付けロール５８により押し付けられ、加熱ロール５１に付着したトナー等を取り除いている。加熱ロール５１の表面温度を測定する非接触式温度センサ５９は、印字装置のステー６０に取り付けられており、赤外線量測定用穴６１を通して加熱ロール５１の表面温度を測定している。
【０００６】
しかし、非接触温度センサ５９の取り付け位置によっては、加熱ロール５１から放出される熱により非接触温度センサ５９の許容温度を超えてしまい、場合によっては非接触温度センサ５９を壊す恐れがあった。
【０００７】
【特許文献１】特開平１０−０６９１７９号公報
【特許文献２】特開平１１−１３３７９５号公報
【特許文献３】特開２００５−２０１７３１号公報
【発明の開示】
【発明が解決しようとする課題】
【０００８】
一般に、非接触センサ５９に用いられている赤外線受光素子部の耐熱温度は１００℃であるのに対して、熱定着方式による加熱ロール５１の温度は１８０〜２００℃程度となっている。このため、非接触式温度センサ５９を定着ユニット側に取り付けるのは困難であるが、印字装置側に取り付けた場合にも加熱ロール５１からの熱により非接触式温度センサ５９が許容温度以下の条件で使用できる構造が必要となる。
【０００９】
本発明の目的は、熱定着方式による加熱ロールの表面温度を測定する非接触式温度センサが、加熱ロールの熱により許容温度を超えることなく、耐熱温度以下で安定した温度測定が行えるようにした印字装置を提供することである。
【課題を解決するための手段】
【００１０】
前記目的を達成するため本発明は、加熱ロール表面の赤外線量を測定するため、筐体に開けられた赤外線量測定用穴の中心軸上に、非接触式温度センサを配置しない構造とすることで、加熱ロールの熱が非接触式温度センサに直接当たることを防いだことを特徴とするものである。
【発明の効果】
【００１１】
本発明によれば、電子写真式印刷装置の定着装置において、加熱ロールから発生する熱の影響を軽減し、加熱ロールの表面温度を検出する非接触式温度センサの耐熱温度以下で使用することができることにより、安定した温度測定が可能になる。
【発明を実施するための最良の形態】
【００１２】
本発明の実施形態を図とともに説明する。図１は本発明の実施形態に係る非接触式温度センサ付近の概略構成図、図２は図１のＸ方向から見た図である。
【００１３】
内部にヒータランプ等の熱源（図示せず）を備えた加熱ロール１はベアリング２を介してステーＡ３に固定され、ステーＡ３は定着装置４の筺体に取り付けられている。ステーＡ３には赤外線量測定用穴５が開けられており、非接触式温度センサ６が回転する加熱ロール１の表面温度を検出している。加熱ロール１により発生する熱は、赤外線量測定用穴５を通して定着装置４から外に排出される。
【００１４】
一方、非接触式温度センサ６は印刷装置のステーＢ７に取り付けられており、その受光軸は加熱ロール１の長手方向軸に垂直な軸に対してθの角度を有している。赤外線量測定用穴５から放出される熱は定着装置４の外で拡散し、非接触式温度センサ６の取付け位置がＰの位置（θ＝０°）の場合、放出される熱を直接受けることとなる。このため、非接触式温度センサ６の雰囲気温度が許容温度以下となるよう、遮蔽板などを設ける必要があるが、遮蔽板により非接触式温度センサ６の光軸を遮り正確な測定ができない可能性がでてくる。
【００１５】
本発明では非接触式温度センサ６の取付け位置をＱの位置（θ≧３５°）とすることにより、赤外線量測定用穴５から排出される熱が非接触式温度センサ６に直接当たることを防いでいる。これにより非接触式温度センサ６の雰囲気温度が許容温度を越えることなく、加熱ロール１の表面温度を検出することが可能となる。
【００１６】
また、定着装置４と非接触式温度センサ６の間には排出ファン８が取り付けられており、非接触式温度センサ６の付近に溜まった熱が印刷装置外に排出される構造になっている。
【産業上の利用可能性】
【００１７】
本発明によれば、電子写真式印刷装置の定着装置において、非接触式温度センサを用いて温度検出を行なう場合、非接触式温度センサの許容温度を越えることなく温度検出することができる。
【図面の簡単な説明】
【００１８】
【図１】本発明の実施形態に係る非接触式温度センサ付近の概略構成図である。
【図２】図１のＸ方向から見た図である。
【図３】電子写真式印刷装置の概略構成図である。
【図４】その電子写真式印刷装置における従来の定着装置の概略構成図である。
【符号の説明】
【００１９】
１は加熱ロール、２はベアリング、３はステーＡ、４は定着装置、５は赤外線量測定用穴、６は非接触式温度センサ、７はステーＢ、８は排出ファン、２０は用紙ホッパ部、２１は用紙、２２は紙送り機構、２４は帯電器、２５は光学装置、２６はレーザー光、２７は現像機、２８は転写器、２９は定着装置、３０は駆動ローラ、３１は従動ローラ、３２は用紙排出部、５０は加熱体、５１は加熱ロール、５２は筺体、５３はフレーム、５４は加圧ロール、５５は回転中心、５６はアーム、５７はフェルト、５８は押付けロール、５９は非接触式温度センサ、６０はステー、６１は赤外線量測定用穴。
【図１】
2008122575.tif 000003
【図２】
2008122575.tif 000004
【図３】
2008122575.tif 000005
【図４】
2008122575.tif 000006